(57)【要約】      （修正有）【課題】テーブル板が反転可能なテーブルを提供する。【解決手段】テーブルは、テーブル板１０、支持構造２０、回転軸５０及びロック機構を含む。支持構造は、テーブル板を支持し、回転軸は、支持構造に接合し、テーブル板は、回転軸により支持構造に回転して結合することができ、ロック機構は、テーブル板を支持構造に定位し、そのうち、テーブル板は、第１位置及び第２位置の間で回転することができる。テーブル板が第１位置まで回転する時、ロック機構は、テーブル板を支持構造に定位し、テーブル板が該第２位置まで回転する時、テーブル板は、支持構造に平行になる。【選択図】図３
0003187857.tif 000002
【実用新案登録請求の範囲】
【請求項１】
テーブル板と、
該テーブル板を支持する支持構造と、
該支持構造に接合する回転軸であり、該テーブル板が該回転軸により回転可能に該支持構造に結合する回転軸と、
該テーブル板を該支持構造に定位させるロック機構と、
を含み、そのうち、該テーブル板が第１位置及び第２位置の間で回転でき、該テーブル板が該第１位置まで回転する時、該ロック機構は、該テーブル板を該支持構造に定位し、該テーブル板が該第２位置まで回転する時、該テーブル板が該支持構造に平行になるテーブル。
【請求項２】
前記ロック機構は、
該テーブル板に固定され、嵌合溝及び押圧辺を有し、該嵌合溝が該押圧辺に平行になり、且つ該押圧辺に開口する接続部材と、
該支持構造に移動可能に設置される嵌合部材と、
該嵌合部材に当接するバネと、
を含み、そのうち、該テーブル板が該第１位置まで回転する時、該押圧辺は、該嵌合部材を押圧し該開口から該嵌合溝に移動させ、該バネの慣性力により該嵌合溝に当接し、該テーブル板を該支持構造に定位させ、該嵌合部材が該バネの慣性力に抵抗して該開口に対応する位置まで移動する時、該テーブル板が回転可能になって該感動部材を、該開口を経由して該嵌合溝から離脱させ、該テーブル板は、該第１位置から該第２位置まで回転できる請求項１に記載のテーブル。
【請求項３】
前記ロック機構は、更に、
該支持構造に固定され、限位溝を有し、該嵌合部材が該限位溝中に移動可能に設置され、該限位溝がその移動範囲を制限し、そのうち、該回転軸が該フレーム及び該接続部材を貫通設置するフレームと、
該フレーム中に設置され、該嵌合部材を貫通するガイド柱と、
を含み、該バネが該ガイド柱に被せ設けられ且つ一端が該フレームに当接し、他端が該感動部材に当接し、そのうち、該テーブル板が該第１位置まで回転する時、該接続部材は、該フレームに結合する請求項２に記載のテーブル。
【請求項４】
前記テーブル板が該第１位置に位置する時、該テーブル板が地面と水平状態を呈し、該テーブル板が該第２位置に位置する時、該テーブル板が地面と垂直状態を呈する請求項１に記載のテーブル。
【考案の詳細な説明】
【技術分野】
【０００１】
本考案は、テーブルに関し、特に、テーブル板が反転可能なテーブルに関する。
【背景技術】
【０００２】
テーブルは、日常生活において、必要な用品であり、テーブルは、食事の時に食器及び料理を安置することができ、大規模な宴会の時、通常、複数のテーブルを設置し、多くの客に応じ、テーブルを収納したい時、テーブルの卓面が水平を呈して設置されるので、大きな空間を占用する必要がある。
【考案の概要】
【考案が解決しようとする課題】
【０００３】
これに鑑み、本考案の目的は、テーブル板反転可能なテーブルを提示し、テーブルのテーブル板が必要に応じて水平又は垂直に反転設置することができ、収納時、テーブル板を垂直に反転でき、複数のテーブルを緊密に配列でき、このようにして、占有する収納空間を縮小できるようにすることにある。
【課題を解決するための手段】
【０００４】
上記目的を達成する為、本考案が提示するテーブルは、テーブル板、支持構造、回転軸及びロック機構を含む。支持構造は、該テーブル板を支持し、回転軸は、該支持構造に接合し、該テーブル板は、該回転軸により該支持構造に回転して結合することができ、ロック機構は、該テーブル板を該支持構造に定位し、そのうち、該テーブル板は、第１位置及び第２位置の間で回転することができ、該テーブル板が該第１位置まで回転する時、該ロック機構は、該テーブル板を該支持構造に定位し、該テーブル板が該第２位置まで回転する時、該テーブル板は、該支持構造に平行になる。
【０００５】
本考案の実施例において、該ロック機構は、接続部材、嵌合部材及びバネを含み、接続部材は、該テーブル板に固定され、嵌合溝及び押圧辺を有し、該嵌合溝は、該押圧辺に平行し、且つ該押圧辺に開口し、嵌合部材は、該支持構造に移動可能に設置され、バネは、該嵌合部材に当接され、該バネの慣性力により該嵌合溝に当接し、該テーブル板を該支持構造に定位させ、該嵌合部材が該バネの慣性力に抵抗して該開口に対応する位置まで移動する時、該テーブル板が回転可能となって該嵌合部材を、該開口を経由して該嵌合溝から離脱させ、該テーブル板は、該第１位置から該第２位置まで回転することができる。
【０００６】
本考案の実施例において、該ロック機構は、更に、フレーム及びガイド柱を含み、フレームは、該支持構造に固定され、限位溝を有し、該嵌合部材は、該限位溝中に移動可能に設置され、該限位溝によりその移動範囲を制限し、ガイド柱は、該フレーム中に設置され、該嵌合部材を貫通し、該バネは、該ガイド柱に被せ設けられ、且つ一端が該フレームに当接し、他端が該嵌合部材に当接する。
【０００７】
本考案の実施例において、該テーブル板が該第１位置まで回転する時、該接続部材は、該フレームに結合する。
【０００８】
本考案の実施例において、該回転軸は、該フレーム及び該接続部材に貫通設置される。
【０００９】
本考案の実施例において、該ロック機構は、プルロッドを更に含み、該嵌合部材に接続し、該プルロッドを経由して該嵌合部材を該開口に対応する位置まで引き動かし、該テーブル板は、回転可能となる。
【００１０】
本考案の実施例は、複数のテーブル脚を更に含み、該支持構造に接続する。
【考案の効果】
【００１１】
本考案は、上記テーブル板の回転可能な構造を採用し、テーブルが収納を必要とする時、テーブル板が垂直状態に回転でき、複数のテーブル間で緊密な配列をなすことができ、収納時に必要な空間を縮小することができ、所定の領域において、更に多くのテーブルを収納することができる。
【図面の簡単な説明】
【００１２】
【図１】本考案のテーブルのテーブル板が水平状態を呈する立体図である。
【図２】本考案のテーブルのテーブル板が垂直状態を呈する立体図である。
【図３】本考案のテーブルのロック機構のテーブル板が垂直状態を呈する時の立体図である。
【図４】本考案のテーブルのロック機構のテーブル板が垂直状態から水平状態に転換又は水平状態から垂直状態に転換する立体図である。
【図５】本考案のテーブルのロック機構のテーブル板が水平状態を呈する時の立体図である。
【図６】本考案のテーブルのプルロッドを引いてロック状態を解除する説明図である。
【考案を実施するための形態】
【００１３】
本考案の目的、特徴及び利点を分かり易くする為、以下に好適実施例を挙げ、図面に合わせ、詳細を説明する。
【００１４】
本考案のテーブルの構造において、卓面は、回転軸の周りを回転して垂直状態を呈することができ、以下に実施例によりその構造を説明する。
【００１５】
図１及び図２を参照し、本考案のテーブル１００は、テーブル板１０と、支持構造２０と、４つのテーブル脚３０と、ロック機構４０と、回転軸５０と、を含む。テーブル板１０は、方形を呈し、支持構造２０により支持され、回転軸５０は、テーブル板１０及び支持構造３０を接続し、テーブル板１０は、回転軸５０により回転可能に支持構造２０に結合する。支持構造２０は、ロッド状を呈し、支持構造２０の一端は、テーブル板１０を支持し、テーブル脚３０は、支持構造２０の他端から延伸し、地面に接触する。テーブル板１０は、回転軸５０により第１位置及び第２位置の間で回転することができ、図１は、テーブル板１０が上記第１位置に位置すること、即ち、テーブル板１０が地面と水平状態を呈することを示し、図２は、テーブル板１０が上記第２位置に位置すること、即ち、テーブル板１０が地面と垂直状態を呈することを示す。テーブル板１０は、地面と水平状態を呈する第１位置にある時、ロック機構４０は、テーブル板１０を支持構造２０に定位させてテーブル板１０に水平状態を保持させる。このほか、テーブル脚３０の一側（図１の後方の２本の脚と図２の右方の２本の脚）が他側（図１の前方の２本の脚及び図２の左方の２本の脚）に比較し、高く且つテーブル板１０が地面と垂直状態を呈するまで回転する時、それは、テーブル脚３０の任意の１本の脚と４５度の角度を挟み有し、この構造のように、テーブル板１０が垂直状態を呈する複数のテーブル１００を水平に重ね合わせることにより（即ち、テーブル１００のテーブル脚３０の比較的低い側を、他のテーブル１００のテーブル脚３０の比較的高い側の下方に重ねる）、複数のテーブル１００の収納を便利に安置することができる。以下にロック機構４０の構造を説明する。
【００１６】
図３を参照し、本考案のロック機構４０は、接続部材４２と、フレーム４４と、ガイド柱４５と、嵌合部材４６と、プルロッド４７と、バネ４８と、を含む。接続部材４２は、取り付けソケット１４によりテーブル板１０背面のリブ１２に固定され、接続部材４２は、板状を呈し、取り付けソケット１４に垂直に設置され、接続部材４２は、押圧辺４２２を有し、接続部材４２は、嵌合溝４２４を形成し、嵌合溝４２４が長孔状を呈し、且つ開口４２６を有し、押圧辺４２２が開口４２６に隣接する。フレーム４４は、支持構造２０の端部に固定され、側辺に限位溝４４２を形成し、限位溝４４２は、長孔状を呈する。嵌合部材４６は、長いロッド状を呈し、限位溝４４２中に貫通設置され、限位溝４４２中で移動することができ、ガイド柱４５は、フレーム４４の内壁からフレーム４４の内部へ延伸し、嵌合部材４６上に通孔を形成し、ガイド柱４５を通過させ、圧縮バネ４８は、ガイド柱４５上に被せ設けられ、且つ一端がフレーム４４の内壁に当接し、他端が嵌合部材４６に当接し、慣性力を嵌合部材４６に加え、嵌合部材４６を限位溝４４２の辺縁に当接する。プルロッド４７は、Ｕ字形を呈し、嵌合部材４６の端部に結合し、プルロッド４７を引き動かし、嵌合部材４６を圧縮バネ４８の慣性力に抵抗して移動させることができる。
【００１７】
図３に示す構造のように、テーブル１０は、地面に垂直であり、即ち、テーブル板１０が第２位置に位置し、テーブル板１０が第２位置から第１位置まで回転する時、図４に示すように、接続部材４２が回転軸５０の周りを回転して直立な状態から水平状態に転じ、接続部材４２の転動の過程において、接続部材４２の押圧辺４２２は、嵌合部材４６を押圧し、圧縮バネ４８の慣性力に抵抗して移動させ、嵌合部材４６を接続部材４２に対して開口４２６まで移動させ、開口４２６を経由し、嵌合溝４２４中に進入し、この時、圧縮バネ４８の慣性力が嵌合部材４６を押し動かし、嵌合溝４２４の辺縁に当接し、これにより、テーブル板１０は、支持構造２０に定位することができ、図５に示すとおりである。
【００１８】
図６を参照し、テーブル板１０を第１位置から第２位置まで回転させる時、先ず、嵌合部材４６の嵌合溝４２４に対する嵌合を解除し、この時、プルロッド４７を引き動かすことができ、嵌合部材４６を圧縮バネ４８の慣性力に抵抗させ、嵌合溝４２４に沿って開口４２６に対応する位置まで移動させ、その後、テーブル板１０を回転し、嵌合部材４６を嵌合溝４２４から離脱させて嵌合部材４６及び嵌合溝４２４の嵌合状態を解除し、このように、テーブル板１０は、第１位置から第２位置まで回転することができ、即ち、水平状態から垂直状態に転じることができる。
【００１９】
本考案のテーブル１００は、ロック機構４０によりテーブル板１０を水平状態及び垂直状態の間で変換させることができ、テーブル板１０が水平状態である時、物品、例えば、食器及び料理を載置することができ、テーブル板１０が垂直状態である時、複数のテーブル間が緊密な配列をなすことができ、収納時に必要な空間を縮小でき、所定の領域で更に多くのテーブルを収容することができる。
【００２０】
本実施例は、方形のテーブル板を例として説明を行っているが、本考案は、これに限定するものではなく、図形、多辺形又はその他の形状のテーブル板も本考案のテーブルに適用される。また、本実施例は、４つのテーブル脚により説明を行っているが、本考案は、これに限定するものではなく、その他の数量のテーブル脚も本考案のテーブルに適用することができる。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１０  テーブル板
１２  リブ
２０  支持構造
３０  テーブル脚
４０  ロック機構
４２  接続部材
４２２  押圧辺
４２４  嵌合溝
４２６  開口
４４  フレーム
４４２  限位溝
４５  ガイド柱
４６  嵌合部材
４７  プルロッド
４８  バネ
５０  回転軸
１００  テーブル
【図１】
0003187857.tif 000003
【図２】
0003187857.tif 000004
【図３】
0003187857.tif 000005
【図４】
0003187857.tif 000006
【図５】
0003187857.tif 000007
【図６】
0003187857.tif 000008